(57)【要約】【課題】使用者が電子機器から遠く離れた場所にいる場合でも、電子機器を監視し、また異常の場合は電源供給を遮断できるようにする。【解決手段】電子機器１の使用状態を監視する電子機器監視システムにおいて、電源線９に配置されたコア４に組み込まれたコイル４１が検出した電流を用いて電子機器１での使用電力を求める使用電力算出手段２１，２２と、その使用電力情報を、コア４に組み込まれたコイル４２を用いて電源線９に重畳させて送信する重畳通信送信手段２１，２３とを有する使用電力測定装置２と、電源線９に重畳して送られてきた使用電力情報をコイル５を用いて受信し、その受信情報に基づいて電子機器１の使用状態を判定し監視する使用状態監視手段３１，３３と、その判定結果を外部情報端末装置６に送信する判定結果送信手段３１，３４とを有する電子機器監視装置３と、を備えている。【選択図】図１
2007330070.tif 000002
【特許請求の範囲】
【請求項１】
電子機器の使用状態を監視する電子機器監視システムにおいて、
上記電子機器に給電する電源線に配置されたコアに組み込まれた第１のコイルが検出した電流を用いて電子機器での使用電力を求める使用電力算出手段と、
上記使用電力算出手段が求めた使用電力を使用電力情報とし、上記コアに組み込まれた第２のコイルを用いて電源線に重畳させて送信する重畳通信送信手段と、
を有する使用電力測定装置と、
上記使用電力測定装置から電源線に重畳して送られてきた使用電力情報を電源線に配置された第３のコイルを用いて受信し、その受信情報に基づいて電子機器の使用状態を判定し監視する使用状態監視手段と、
上記使用状態監視手段による判定結果を外部情報端末装置に送信する判定結果送信手段と、
を有する電子機器監視装置と、
を備えることを特徴とする電子機器監視システム。
【請求項２】
上記電子機器監視装置は、
上記外部情報端末装置から送られてきた指令信号に基づいて生成した電子機器制御情報を上記第３のコイルを用いて電源線に重畳させ送信し、
上記電子機器では電源線を介して受信した電子機器制御情報に基づく制御を行う、
請求項１に記載の電子機器監視システム。
【請求項３】
上記使用電力測定装置は、
上記電子機器制御情報を電源線を介して受信し、その受信した電子機器制御情報が電力遮断情報であるとき、電子機器への給電を遮断制御する、請求項２に記載の電子機器監視システム。
【請求項４】
上記外部情報端末装置は、電子機器の使用者が契約しているセキュリティ管理会社に設けられている、請求項１から３の何れか１項に記載の電子機器監視システム。
【発明の詳細な説明】
【技術分野】
【０００１】
本発明は、電子機器の使用状態を監視する電子機器監視システムに関するものである。
【背景技術】
【０００２】
使用者が電子機器から遠く離れた場所におり、電子機器に異常が発生した場合、使用者は電子機器の異常を知ることは困難である。また、使用者が電子機器から遠く離れた場所にいると、電子機器に異常が発生し、電子機器への電源供給を遮断しようとしても行うことができなかった。
【０００３】
一方、コイル等を用いて電源線に通信信号を重畳させる方法は一般的である（例えば下記の特許文献１参照）。
【特許文献１】特開平１０−４２４０２号公報
【０００４】
また電源線より供給される電子機器の使用電力をコイル等を用いて測定する方法も公知である（例えば下記の特許文献２参照）。
【特許文献２】特開平５−３８６６０号公報
【０００５】
そこで、使用者が電子機器から遠く離れた場所にいる場合でも、上記の重畳通信技術等を用いて電源線を介し、電子機器を監視し、また電子機器が異常の場合は電源供給を遮断できるようにしたいという要望があった。
【発明の開示】
【発明が解決しようとする課題】
【０００６】
この発明は上記に鑑み提案されたもので、使用者が電子機器から遠く離れた場所にいる場合でも、電子機器を監視し、また電子機器が異常の場合は電源供給を遮断することができる電子機器監視システムを提供することを目的とする。
【課題を解決するための手段】
【０００７】
上記目的を達成するために、請求項１に記載の発明は、電子機器の使用状態を監視する電子機器監視システムにおいて、上記電子機器に給電する電源線に配置されたコアに組み込まれた第１のコイルが検出した電流を用いて電子機器での使用電力を求める使用電力算出手段と、上記使用電力算出手段が求めた使用電力を使用電力情報とし、上記コアに組み込まれた第２のコイルを用いて電源線に重畳させて送信する重畳通信送信手段と、を有する使用電力測定装置と、上記使用電力測定装置から電源線に重畳して送られてきた使用電力情報を電源線に配置された第３のコイルを用いて受信し、その受信情報に基づいて電子機器の使用状態を判定し監視する使用状態監視手段と、上記使用状態監視手段による判定結果を外部情報端末装置に送信する判定結果送信手段と、を有する電子機器監視装置と、を備えるものである。
【０００８】
請求項２に記載の発明は、上記した請求項１に記載の発明において、上記電子機器監視装置は、上記外部情報端末装置から送られてきた指令信号に基づいて生成した電子機器制御情報を上記第３のコイルを用いて電源線に重畳させ送信し、上記電子機器では電源線を介して受信した電子機器制御情報に基づく制御を行うものである。
【０００９】
請求項３に記載の発明は、上記した請求項２項に記載の発明において、上記使用電力測定装置は、上記電子機器制御情報を電源線を介して受信し、その受信した電子機器制御情報が電力遮断情報であるとき、電子機器への給電を遮断制御するものである。
【００１０】
請求項４に記載の発明は、上記した請求項１から３の何れか１項に記載の発明において、上記外部情報端末装置は、電子機器の使用者が契約しているセキュリティ管理会社に設けられているものである。
【発明の効果】
【００１１】
この発明の電子機器監視システムでは、使用者が電子機器から遠く離れた場所にいる場合でも、電子機器を監視することができ、また電子機器が異常の場合は電源供給を遮断することができる。
【発明を実施するための最良の形態】
【００１２】
この発明の実施の形態を図面に基づいて詳細に説明する。
【００１３】
図１はこの発明の電子機器監視システムの構成を概略的に示すブロック図である。図１において、この発明の電子機器監視システムは、電子機器１の使用状態を監視するシステムであり、使用電力測定装置２と電子機器監視装置３とを有している。電子機器１には電源線９から電力が供給されるが、この電源線９には、単独の電子機器１だけでなく、複数の電子機器１を並列に設けるようにしてもよい。その場合、使用電力測定装置２も電子機器１の各々に対応して設けられる。
【００１４】
使用電力測定装置２は、マイコン２１を中心に構成され、マイコン２１に電流監視部２２、重畳通信送信部２３、重畳通信受信部２４、および電源遮断部２５が接続されている。
【００１５】
電流監視部２２は、電子機器１に給電する電源線９に配置されたコア４に組み込まれたコイル４１が検出した電流の変動を監視し、その電流値をマイコン２１に出力する。マイコン２１は電流監視部２２からの電流値を用いて電子機器１での使用電力を算出する。この電流監視部２２とマイコン２１とは、本発明の使用電力算出手段を構成している。
【００１６】
マイコン２１が算出した電子機器１での使用電力情報は、重畳通信送信部２３により、コア４に組み込まれたコイル４２を用いて電源線９に重畳され、電子機器監視装置３に向けて送信される。この重畳通信送信部２３とマイコン２１とは、本発明の重畳通信送信手段を構成している。
【００１７】
重畳通信受信部２４は、電子機器監視装置３から電源線９に重畳されて送られてきた電子機器制御情報を、コイル４２を介して受信し、マイコン２１に出力する。マイコン２１は、その受信した電子機器制御情報が電力遮断情報であるとき、その電源遮断情報を電源遮断部２５に出力する。
【００１８】
電子機器１の手前の電源線９には、電源線９を開閉する開閉部１１が配置され、開閉部１１が閉状態のとき電子機器１には電源線９を介して給電され、開閉部１１が開状態のとき電子機器１への給電が遮断されるようになる。電源遮断部２５は、マイコン２１から受け取った電源遮断情報に基づいて、開閉部１１を開状態に制御し、電子機器１への給電を遮断する。
【００１９】
一方、電子機器監視装置３は、マイコン３１を中心に構成され、マイコン３１に重畳通信送信部３２、重畳通信受信部３３、および外部通信部３４が接続されている。
【００２０】
重畳通信受信部３３は、使用電力測定装置２から電源線９に重畳させて送られてきた使用電力情報を電源線９に配置されたコイル５を用いて受信し、マイコン３１に出力する。マイコン３１は、その受信情報に基づいて電子機器１の使用状態を判定し監視する。この重畳通信受信部３３とマイコン３１とは、本発明の使用状態監視手段を構成している。
【００２１】
マイコン３１は、電子機器１の使用状態の判定結果を獲得すると、その判定結果情報を、外部通信部３４を経由して所定の通信回線（例えば電話回線）で外部情報端末機器６に送信する。この外部通信部３４とマイコン３１とは、本発明の判定結果送信手段を構成している。
【００２２】
外部情報端末機器６は、例えば携帯電話やインターネットに接続されたパソコンであり、電子機器１の使用者は、電子機器監視装置３から外部情報端末機器６に通知された判定結果情報によって、遠隔地にある電子機器１の使用状態を知ることができる。
【００２３】
使用者が電子機器１の運転の停止、開始、予約等の各種指令を行う場合、使用者は、外部情報端末機器６からその指令信号を出力する。電子機器監視装置３のマイコン３１は、その指令信号を外部通信部３４を介して受信し、電子機器制御信号を生成し、重畳通信送信部３２を介してコイル５を用いて電源線９に重畳させ送信する。電子機器１では電源線９を介してその電子機器制御情報を受信し、その受信した電子機器制御情報に基づく制御を行う。
【００２４】
したがって、例えば電子機器監視装置３から外部情報端末機器６に通知された判定結果情報が、電子機器１の異常を知らせる情報であれば、使用者は外部情報端末機器６から電子機器１の停止を指令することができ、それに応じて電子機器１は運転を停止することになる。
【００２５】
その場合、電子機器１が内部のマイコンの暴走により制御不能の状態になっているときは、使用電力測定装置２から依然として電子機器１の異常を知らせる情報が入ってくるので、そのときは、使用者は外部情報端末機器６から、電子機器１への給電を遮断する旨の指令を出力する。その指令は電子機器監視装置３から電力遮断情報として出力され、電源線９に重畳されて使用電力測定装置２に送られる。使用電力測定装置２は、上記のように、その電源遮断情報に基づいて、電源遮断部２５を介して開閉部１１を開状態に制御し、電子機器１への給電を遮断する。
【００２６】
このように、本発明では、使用者が電子機器１から遠く離れた場所にいて、電子機器１に制御不能の異常が発生した場合でも、電子機器１への電源供給を遮断することができ、適切に対処することができる。
【００２７】
なお、上記の説明では、電子機器１への指令を外部情報端末機器６から行うようにしたが、電子機器監視装置３が電子機器１の使用状態の判定結果に応じて自ら電子機器制御情報を生成し、自動的に電子機器１の制御を行うようにしてもよい。
【００２８】
また、上記の説明では、電子機器監視装置３の判定結果情報を外部情報端末機器６に送るようにしたが、外部情報端末機器６ではなく、使用者が契約しているセキュリティ管理会社の情報端末機器（例えばパソコンや電話）に送信するように構成してもよい。その場合、セキュリティ管理会社のオペレータはその情報端末機器を用いて電子機器１への指令を行うようになる。
【図面の簡単な説明】
【００２９】
【図１】この発明の電子機器監視システムの構成を概略的に示すブロック図である。
【符号の説明】
【００３０】
１  電子機器
１１  開閉部
２  使用電力測定装置
２１  マイコン
２２  電流監視部
２３  重畳通信送信部
２４  重畳通信受信部
２５  電源遮断部
３  電子機器監視装置
３１  マイコン
３２  重畳通信送信部
３３  重畳通信受信部
３４  外部通信部
４  コア
４１  コイル
４２  コイル
５  コイル
６  外部情報端末機器
９  電源線
【図１】
2007330070.tif 000003